(57)【要約】【課題】管状の医療器具の先端部を患者の体内の目的の位置に、容易かつ確実に位置決めすることができる位置決め装置を提供すること。【解決手段】位置決め装置１は、シースの先端部を目的位置に位置決めする装置であり、可撓性を有し、長尺状をなす本体部２と、本体部２の先端部２３に設けられ、拡張・収縮可能なバルーン３とを備えている。本体部２は、シースの内腔内に挿入可能であり、その内腔内に挿入された挿入状態で、本体部２の先端部２３が、シースの先端開口より先端側に突出し得るように構成されている。バルーン３が拡張した拡張状態では、そのバルーン３に、シースの先端に当接し得る第１の当接部３３と、第１の当接部３３よりも基端側に位置し、患者の血管壁の内面に当接し得る第２の当接部３４とが形成される。【選択図】図２
2009291476.tif 000002
【特許請求の範囲】
【請求項１】
管状の医療器具の先端部を患者の体内の目的の位置に位置決めする位置決め装置であって、
前記医療器具の管腔内に挿入可能であり、該管腔内に挿入された挿入状態で、前記医療器具の先端開口より先端側に突出し得る先端部を有する長尺状の本体部と、
前記本体部の先端部に設けられ、拡張・収縮可能な拡張部とを備え、
前記拡張部は、拡張した際、前記医療器具の先端に当接し得る第１の当接部と、該第１の当接部よりも基端側に位置し、前記患者の生体組織に当接し得る第２の当接部とが形成されるよう構成されていることを特徴とする位置決め装置。
【請求項２】
前記拡張部は、バルーンで構成されている請求項１に記載の位置決め装置。
【請求項３】
前記バルーンは、その先端側の固定部および基端側の固定部がそれぞれ前記本体部に固定されており、前記基端側の固定部よりも基端側まで拡張するよう構成されている請求項２に記載の位置決め装置。
【請求項４】
前記バルーンを拡張・収縮させる作動流体が流れる流路が、前記本体部に形成されている請求項２または３に記載の位置決め装置。
【請求項５】
前記バルーンが拡張した拡張状態を維持する拡張状態維持手段を有する請求項４に記載の位置決め装置。
【請求項６】
前記拡張状態維持手段は、前記流路の基端側に設けられ、該流路を必要時に開放し得る封止手段である請求項５に記載の位置決め装置。
【請求項７】
前記バルーンに対して前記作動流体を供給・排出し、該バルーンを拡張・収縮させる操作を行う操作手段を接続する部位を有する請求項４ないし６のいずれかに記載の位置決め装置。
【請求項８】
前記拡張部は、屈曲変形または湾曲変形する屈曲変形部を有する板状体で構成されており、
前記屈曲変形部が前記第２の当接部を構成する請求項１に記載の位置決め装置。
【請求項９】
前記屈曲変形部は、薄肉部を有する請求項８に記載の位置決め装置。
【請求項１０】
前記屈曲変形部は、前記板状体の本体部軸方向の中間位置よりも基端側に配置されている請求項８または９に記載の位置決め装置。
【請求項１１】
前記板状体の前記屈曲変形部よりも先端側の部位を基端方向に移動させ、前記屈曲変形部を屈曲または湾曲させる操作を行う操作手段を有する請求項８ないし１０のいずれかに記載の位置決め装置。
【請求項１２】
前記本体部の先端部は、基部と、該基部の先端側に配置されたヘッド部とを有し、
前記ヘッド部と前記基部とは、前記板状体により連結されており、
前記ヘッド部が基端方向に移動することにより、前記板状体が、座屈し、前記屈曲変形部が屈曲または湾曲するよう構成されている請求項８ないし１０のいずれかに記載の位置決め装置。
【請求項１３】
先端部が前記ヘッド部に固定された線状体を有し、
前記線状体を基端方向に引っ張ると、前記ヘッド部が基端方向に牽引され、これにより、前記屈曲変形部が屈曲または湾曲する請求項１２に記載の位置決め装置。
【請求項１４】
前記線状体が先端方向へ戻るのを阻止することにより、前記拡張部が拡張した拡張状態を維持する拡張状態維持手段を有する請求項１３に記載の位置決め装置。
【請求項１５】
前記板状体は、前記本体部の周方向に沿って複数設けられている請求項８ないし１４のいずれかに記載の位置決め装置。
【請求項１６】
前記本体部の周方向における前記板状体の位置を示すマーカーを有する請求項８ないし１５のいずれかに記載の位置決め装置。
【請求項１７】
前記医療器具の先端開口は、該医療器具の軸を法線とする面に対して傾斜しており、
前記位置決めの際は、前記医療器具の最先端に前記第１の当接部を当接させる請求項１ないし１６のいずれかに記載の位置決め装置。
【請求項１８】
前記本体部は、その先端に開放し、ガイドワイヤが挿通し得るルーメンを有する請求項１ないし１７のいずれかに記載の位置決め装置。
【請求項１９】
前記本体部の先端は、丸みを帯びている請求項１ないし１８のいずれかに記載の位置決め装置。
【請求項２０】
前記目的の位置は、血管壁を貫通する孔で、該血管壁の内面付近の部位である請求項１ないし１９のいずれかに記載の位置決め装置。
【発明の詳細な説明】
【技術分野】
【０００１】
本発明は、位置決め装置に関するものである。
【背景技術】
【０００２】
従来、血管や他の生体内組織中にカテーテル等の診断或いは治療用装置を挿入してなされる低侵襲手術が広く行なわれている。例えば、心臓の冠状動脈の狭窄の治療においては、その治療処置を行なうために血管内へカテーテル等の器具を挿入することが必要になる。
【０００３】
このようなカテーテルの血管内への挿入は、通常、大腿部に形成した穿刺孔を介して行なわれる。従って、治療処置が終了した後に、穿刺孔の止血を行なう必要があるが、大腿動脈からの出血時の血圧（出血血圧）は高いため、医療従事者が長時間の間、手指で押さえ続ける（用手圧迫）等の過酷な作業が必要となる。
【０００４】
近年、このような止血作業を容易かつ確実に行なうために、傷穴から挿入して血管に形成された孔（血管壁を貫通する孔）を閉じる種々の装置が開発されている（例えば、特許文献１参照）。
【０００５】
特許文献１に記載されている血管に形成された孔を閉じる閉鎖具は、血管内に配置される血管内係止部材と、コラーゲンスポンジ等で構成され、血管の外側に配置されるプラグ（封止部材）とを有しており、プラグを潰し、そのプラグと血管内係止部材とで、血管に形成された孔を挟み込んで、閉じるようになっている。
【０００６】
また、前記血管に形成された孔を閉鎖具で閉じる作業を行う際は、前記孔から血管内に挿入したシースを使用し、そのシースの先端開口から閉鎖具の血管内係止部材を突出させ、シースの先端に血管内係止部材を当接させ、シースの先端に対する血管内係止部材の姿勢を固定する。このため、まずは、シースの先端部を血管内の前記孔の近傍の部位に位置決めする必要があり、この位置決めに用いられる装置が提案されている（例えば、特許文献１参照）。
【０００７】
特許文献１に記載されている位置決め装置は、長尺状をなしており、位置決め装置をシースに挿入すると、その先端部がシースの先端開口から先端側に突出し、シースの内面と、位置決め装置の外面との間に、血液が流れる流路が形成されるようになっている。また、位置決め装置をシースに挿入すると、シースの先端開口の周方向の所定位置に、前記流路に連通し、血液が流入する流入口が形成され、また、前記流路の基端部は、シースの基端部に形成されている側孔に連通する。そして、シースには、内腔が前記側孔に連通するチューブが接続されており、流入口から流入した血液が、流路を流れ、側孔からチューブに流れ込むようになっている。
【０００８】
前記位置決め装置を用いてシースを位置決めする際は、まずは、位置決め装置をシースに挿入し、位置決め装置およびシースの先端部を血管に形成された孔から血管内に挿入する。シースの先端が血管内に挿入されると、前記流入口から血液が流入し、血液のバックフラッシュが確認される。
【０００９】
次に、血液のバックフラッシュが停止するまで、位置決め装置およびシースを基端方向に移動させる。これにより、シースの先端は、血管の外側で、血管に形成された孔の近傍の部位に移動する。
【００１０】
次に、位置決め装置およびシースを先端方向に１０ｍｍ移動させる。これにより、シースの先端は、血管内で、血管に形成された孔の近傍の部位に移動し、位置決めが終了する。
【００１１】
しかしながら、前記特許文献１の位置決め装置では、シースを位置決めする際の操作が煩雑であり、手間がかかるという欠点がある。
【００１２】
また、血液の流入口が血管壁に接触してしまうこともあり、これにより、流入口から血液が流入し難くなり、感度が低下し、また、流入口全体が血管壁に完全に接触してしまうと、流入口から血液が流入できなくなり、シースの位置決めができなくなる。このように、特許文献１の位置決め装置では、シースを確実に位置決めするのは困難である。
【００１３】
【特許文献１】特許第２９０４７３３号公報
【発明の開示】
【発明が解決しようとする課題】
【００１４】
本発明の目的は、管状の医療器具の先端部を患者の体内の目的の位置に、容易かつ確実に位置決めすることができる位置決め装置を提供することにある。
【課題を解決するための手段】
【００１５】
このような目的は、下記（１）〜（２０）の本発明により達成される。
（１）  管状の医療器具の先端部を患者の体内の目的の位置に位置決めする位置決め装置であって、
前記医療器具の管腔内に挿入可能であり、該管腔内に挿入された挿入状態で、前記医療器具の先端開口より先端側に突出し得る先端部を有する長尺状の本体部と、
前記本体部の先端部に設けられ、拡張・収縮可能な拡張部とを備え、
前記拡張部は、拡張した際、前記医療器具の先端に当接し得る第１の当接部と、該第１の当接部よりも基端側に位置し、前記患者の生体組織に当接し得る第２の当接部とが形成されるよう構成されていることを特徴とする位置決め装置。
【００１６】
（２）  前記拡張部は、バルーンで構成されている上記（１）に記載の位置決め装置。
【００１７】
（３）  前記バルーンは、その先端側の固定部および基端側の固定部がそれぞれ前記本体部に固定されており、前記基端側の固定部よりも基端側まで拡張するよう構成されている上記（２）に記載の位置決め装置。
【００１８】
（４）  前記バルーンを拡張・収縮させる作動流体が流れる流路が、前記本体部に形成されている上記（２）または（３）に記載の位置決め装置。
【００１９】
（５）  前記バルーンが拡張した拡張状態を維持する拡張状態維持手段を有する上記（４）に記載の位置決め装置。
【００２０】
（６）  前記拡張状態維持手段は、前記流路の基端側に設けられ、該流路を必要時に開放し得る封止手段である上記（５）に記載の位置決め装置。
【００２１】
（７）  前記バルーンに対して前記作動流体を供給・排出し、該バルーンを拡張・収縮させる操作を行う操作手段を接続する部位を有する上記（４）ないし（６）のいずれかに記載の位置決め装置。
【００２２】
（８）  前記拡張部は、屈曲変形または湾曲変形する屈曲変形部を有する板状体で構成されており、
前記屈曲変形部が前記第２の当接部を構成する上記（１）に記載の位置決め装置。
【００２３】
（９）  前記屈曲変形部は、薄肉部を有する上記（８）に記載の位置決め装置。
【００２４】
（１０）  前記屈曲変形部は、前記板状体の本体部軸方向の中間位置よりも基端側に配置されている上記（８）または（９）に記載の位置決め装置。
【００２５】
（１１）  前記板状体の前記屈曲変形部よりも先端側の部位を基端方向に移動させ、前記屈曲変形部を屈曲または湾曲させる操作を行う操作手段を有する上記（８）ないし（１０）のいずれかに記載の位置決め装置。
【００２６】
（１２）  前記本体部の先端部は、基部と、該基部の先端側に配置されたヘッド部とを有し、
前記ヘッド部と前記基部とは、前記板状体により連結されており、
前記ヘッド部が基端方向に移動することにより、前記板状体が、座屈し、前記屈曲変形部が屈曲または湾曲するよう構成されている上記（８）ないし（１０）のいずれかに記載の位置決め装置。
【００２７】
（１３）  先端部が前記ヘッド部に固定された線状体を有し、
前記線状体を基端方向に引っ張ると、前記ヘッド部が基端方向に牽引され、これにより、前記屈曲変形部が屈曲または湾曲する上記（１２）に記載の位置決め装置。
【００２８】
（１４）  前記線状体が先端方向へ戻るのを阻止することにより、前記拡張部が拡張した拡張状態を維持する拡張状態維持手段を有する上記（１３）に記載の位置決め装置。
【００２９】
（１５）  前記板状体は、前記本体部の周方向に沿って複数設けられている上記（８）ないし（１４）のいずれかに記載の位置決め装置。
【００３０】
（１６）  前記本体部の周方向における前記板状体の位置を示すマーカーを有する上記（８）ないし（１５）のいずれかに記載の位置決め装置。
【００３１】
（１７）  前記医療器具の先端開口は、該医療器具の軸を法線とする面に対して傾斜しており、
前記位置決めの際は、前記医療器具の最先端に前記第１の当接部を当接させる上記（１）ないし（１７）のいずれかに記載の位置決め装置。
【００３２】
（１８）  前記本体部は、その先端に開放し、ガイドワイヤが挿通し得るルーメンを有する上記（１）ないし（１７）のいずれかに記載の位置決め装置。
【００３３】
（１９）  前記本体部の先端は、丸みを帯びている上記（１）ないし（１８）のいずれかに記載の位置決め装置。
【００３４】
（２０）  前記目的の位置は、血管壁を貫通する孔で、該血管壁の内面付近の部位である上記（１）ないし（１９）のいずれかに記載の位置決め装置。
【発明の効果】
【００３５】
本発明によれば、管状の医療器具の先端部を患者の体内の目的の位置に、容易、迅速、かつ確実に位置決めすることができる。
【００３６】
例えば、前記目的の位置が、血管の血管壁を貫通する孔（例えば、切開部等）で、血管壁の内面付近の部位である場合は、医療器具の管腔内に挿入された位置決め装置の拡張部を拡張させ、その拡張部の第２の当接部を血管壁の内面に当接させることにより、医療器具を前記血管壁の内面付近の部位に位置決めすることができ、このため、操作が容易であり、また、位置決めを、迅速かつ確実に行うことができる。
【発明を実施するための最良の形態】
【００３７】
以下、本発明の位置決め装置を添付図面に示す好適な実施形態に基づいて詳細に説明する。
【００３８】
なお、本発明は、管状の医療器具の先端部（先端）を患者の体内の目的の位置に位置決めする装置であるが、下記の実施形態では、代表的に、本発明を、例えば血管の切開部等、血管壁に形成された孔（血管壁を貫通する孔）で、血管壁の内面付近の部位、すなわち、血管内における血管壁に形成された孔（血管壁を貫通する孔）の直下でかつ近傍の部位に、シースの先端部（先端）を位置決めする装置に適用した場合について説明する。
【００３９】
＜第１実施形態＞
図１は、本発明の位置決め装置の第１実施形態を示す斜視図、図２は、図１に示す位置決め装置の断面図であり、図２（ａ）は、バルーンが収縮した状態を示し、図２（ｂ）は、バルーンが拡張した状態を示す。また、図３は、図１に示す位置決め装置により位置決めするシースの構成例を示す斜視図、図４〜図１１は、図１に示す位置決め装置の作用を説明するための断面図である。
【００４０】
なお、以下では、図１、図３〜図１１において、左下側を「先端」、右上側（手元側）を「基端」、図２において、左側を「先端」、右側（手元側）を「基端」として説明を行う。
【００４１】
これらの図に示す位置決め装置１は、血管の切開部（血管壁を貫通する孔）で、血管壁の内面付近の部位、すなわち、血管内における血管壁に形成された孔（血管壁を貫通する孔）の直下でかつ近傍の部位に、シース（医療器具）５の先端部（先端）を位置決めする装置である。
【００４２】
まず、シース５について説明する。
図３および図４に示すように、シース（医療器具）５は、略円筒状をなし、可撓性を有する本体部（シースチューブ）５０を備えている。
【００４３】
本体部５０の基端部には、略円筒状をなすハブ（コネクタ）５１が形成されている。また、ハブ５１の基端部の内周側には、スリットが形成された止血弁（弁体）５２が設置されている。これにより、ハブ５１の基端からの血液の漏出を防止することができる。
【００４４】
シース５は、経皮的に血管に導入される。そして、シース５の内腔（管腔）には、ハブ５１の基端から、例えばカテーテル、ガイドワイヤ等の医療用の長尺物が挿通され、この長尺物が血管内に導入される。
【００４５】
シース５の先端開口５３は、そのシース５の軸を法線とする面（平面）に対して所定角度傾斜している。これにより、シース５の軸を血管の軸に対して所定角度傾斜させた状態で、先端開口５３と血管の軸とを略平行とすることができる。
【００４６】
このシース５としては、例えば、カテーテルを用いた治療（ＰＣＩ）や診断（ＣＡＧ）の処置後に留置されているシース（イントロデューサシース）や、専用のもの等が挙げられる。
【００４７】
次に、位置決め装置１について説明する。
図１および図２に示すように、位置決め装置１は、可撓性を有し、長尺状をなす本体部２と、拡張・収縮可能な拡張部として、バルーン３とを備えている。
【００４８】
本体部２は、シース５の内腔（管腔）内に挿入可能であり、その内腔内に挿入された挿入状態で、本体部２の先端部２３が、シース５の先端開口５３より先端側に突出し得るように構成されている。また、本体部２の先端は、丸みを帯びている。これにより、本体部２の先端部２３を、円滑に、血管内に挿入することができる。
【００４９】
また、本体部２の基端部には、ハブ（分岐ハブ）４が設置（固定）されている。このハブ４は、ポート４１およびポート（分岐ポート）４２を有しており、ポート４１は、本体部２の後述するルーメン２１に連通し、ポート４２は、本体部２の後述するルーメン２２に連通している。なお、このハブ４を把持し、位置決め装置１を操作することができる。
【００５０】
また、本体部２には、その長手方向に沿って、ガイドワイヤ６（図４参照）が挿通し得るルーメン（第１のルーメン）２１が形成されている。このルーメン２１は、本体部２の全長に渡って形成されている。すなわち、ルーメン２１の先端は、本体部２の先端に開放（開口）し、基端側は、ハブ４のポート４１に連通している。
【００５１】
また、ハブ４のポート４１の内部には、先端方向への液体（流体）の流れを可能にし、基端方向への液体（流体）の流れを阻止する一方向弁（逆止弁）４３が設置されている。これにより、ポート４１からの血液の漏出を防止することができる。一方向弁４３としては、例えば、ダックビル弁等を用いることができる。
【００５２】
本体部２の先端部２３には、作動流体の注入（供給）・抜き取り（排出）により拡張・収縮し得るバルーン３が設置（固定）されている。
【００５３】
バルーン３は、膜状物（膜）を例えばシート状や筒状（図示の構成では、筒状）に成形してなるものであり、その先端側に設けられている先端側固定部３１および基端側に設けられている基端側固定部３２が、それぞれ、本体部２の外周面に対し、気密的または液密的に固着されている。この固着は、例えば融着または接着剤による接着によりなされている。
【００５４】
バルーン３は、拡張前（収縮時）は、しぼんで畳まれている状態となっているが、その内部に作動流体が供給されることにより外周方向（外側）に拡張し、逆に、内部から作動流体を排出すると、元の畳まれた状態に収縮する。
【００５５】
また、バルーン３は、基端側固定部３２の先端部よりも基端側まで拡張するよう構成されている。すなわち、バルーン３が拡張した拡張状態では、そのバルーン３に、シース５の先端に当接し得る第１の当接部３３と、第１の当接部３３よりも基端側に位置し、患者の血管壁の内面（生体組織）に当接し得る第２の当接部３４とが形成される。なお、基端側固定部３２の先端部付近が、第１の当接部３３を構成し、また、基端側固定部３２と先端側固定部３１の中間の部位と、基端側固定部３２との間の部位が、第２の当接部３４を構成する。
【００５６】
本体部２の軸方向（長手方向）における第１の当接部３３と第２の当接部３４との間の距離Ｌは、特に限定されず、諸条件に応じて適宜決定されるが、１〜１０ｍｍ程度であるのが好ましく、２〜４ｍｍ程度であるのがより好ましい。
【００５７】
シース５の位置決めの際は、本体部２をシース５の内腔内に挿入した挿入状態で、シース５の最先端に拡張状態のバルーン３の第１の当接部３３を当接させ、シース５の最先端よりも基端側に位置する第２の当接部３４を血管壁の内面に当接させる（図７参照）。これにより、シース５の先端部が、目的位置、すなわち、血管の切開部で、血管壁の内面付近の部位に配置される。
【００５８】
また、本実施形態では、バルーン３は、拡張状態で、その外形形状が、本体部２の軸を中心（中心軸）とする回転体となるよう（本体部２の軸に対して対称となるよう）構成されている。これにより、シース５に対する位置決め装置１の周方向の位置によらず、シース５を位置決めすることができる。
【００５９】
バルーン３は、例えば、各種の高分子材料（特に、熱可塑性樹脂）で構成することができる。この場合、バルーン３は、全体として可撓性を有する材料で構成されているのが好ましく、弾性または伸縮性を有する材料（特に、弾性材料）で構成されているのがより好ましい。バルーン３が伸縮性を有するものであれば、そのバルーン３は、収縮時には、本体部２に密着している余計な凹凸を形成せず、拡張時には、基端側固定部３２より基端側まで伸びるように拡がる。
【００６０】
バルーン３の構成材料としては、例えば、ポリエチレンテレフタレート、ポリブチレンテレフタレート等のポリエステル樹脂またはこれを含むポリエステルエラストマー、ポリエチレン、ポリプロピレン等のオレフィン系樹脂またはそれに架橋処理を施したもの（特に、電子線照射により架橋させたもの）、ナイロン１１、ナイロン１２、ナイロン６１０等のポリアミド系樹脂またはこれを含むポリアミドエラストマー、ポリウレタン樹脂、エチレン−酢酸ビニル共重合体またはこれらに架橋処理を施したもの、シリコーン樹脂またはこれらのうちの少なくとも一種を含むポリマーブレンド、ポリマーアロイ、各種ゴム等の材料が挙げられる。
【００６１】
そして、例えば、天然ゴム（ＮＲ）、イソプレンゴム（ＩＲ）、ブタジエンゴム（ＢＲ、１，２−ＢＲ）、スチレン−ブタジエンゴム（ＳＢＲ）等のブタジエン系ゴム、クロロプレンゴム（ＣＲ）、ブタジエン−アクリロニトリルゴム（ＮＢＲ）等のジエン系特殊ゴム、ブチルゴム（ＩＩＲ）、エチレン−プロピレンゴム（ＥＰＭ、ＥＰＤＭ）、アクリル系ゴム（ＡＣＭ、ＡＮＭ）、ハロゲン化ブチルゴム（Ｘ−ＩＩＲ）等のオレフィン系ゴム、ウレタンゴム（ＡＵ、ＥＵ）等のウレタン系ゴム、ヒドリンゴム（ＣＯ、ＥＣＯ、ＧＣＯ、ＥＧＣＯ）等のエーテル系ゴム、多硫化ゴム（Ｔ）等のポリスルフィド系ゴム、シリコーンゴム（Ｑ）、フッ素ゴム（ＦＫＭ、ＦＺ）、塩素化ポリエチレン（ＣＭ）等の各種ゴムや、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等の弾性材料が好ましく、これらのうちの１種または２種以上を混合して用いることができる。
【００６２】
また、これらの材料よりなる膜を複数積層した積層体でバルーン３を構成してもよい。この場合、例えば、各層を共押出成形したり、各層を接着、融着等により接合したり、１つの層の上にコーティングにより他の層を形成したりする方法で積層体を得ることができる。また、上記材料からなる層の外側または内側に、軟質樹脂層、硬質樹脂層、潤滑性材料の層、抗血栓性材料の層等を設けてもよい。
【００６３】
なお、バルーン３の構成材料中には、例えば、ヘパリン、プロスタグランジン、ウロキナーゼ、アルギニン誘導体等の抗血栓性材料や、マーカーとして機能する硫酸バリウム、炭酸バリウム、酸化ビスマス、タングステン等のＸ線不透過材料が配合されていてもよい。
【００６４】
また、本体部２には、その長手方向に沿って、バルーン３を拡張・収縮させる作動流体が流れる流路となるルーメン（第２のルーメン）２２が形成されている。このルーメン２２は、本体部２のほぼ全長に渡って形成されている。ルーメン２２の先端は、本体部２の先端部２３の側方、すなわち、バルーン３の内部に位置する本体部２の外周面に開放（開口）し、基端側は、ハブ４のポート４２に連通している。これにより、ルーメン２２を介してバルーン３の内部とポート４２とが連通する。
【００６５】
また、ポート４２には、バルーン３に対して作動流体を供給・排出し、バルーン３を拡張・収縮させる供給・排出手段（操作手段）として、例えば、作動流体が充填された図示しないシリンジが接続される。すなわち、ポート４２は、シリンジが着脱自在に接続される部位である。
【００６６】
この作動流体としては、圧力変動によって体積が変化しない液体が使用でき、生体に無害であるもの（例えば、生理食塩水等）が好ましい。また、液体の中でも、Ｘ線造影性を有する液体であるのがより好ましく、例えば、動脈用造影剤等のＸ線造影剤を生理食塩水で数倍に希釈した液体等を使用することができる。この場合、バルーン３の位置がＸ線透視下で確認できる。
【００６７】
また、ハブ４のポート４２の内部には、スリットが形成された弁体４４が設置されている。これにより、バルーン３を拡張させた後、ポート４２からシリンジを取り外したとき、バルーン３から作動流体が排出されてしまうのを防止することができ、これによって、バルーン３の拡張状態を維持することができる。この弁体４４により、拡張状態維持手段、すなわち、ルーメン２２を必要時に開放し得る封止手段が構成される。
【００６８】
位置決め装置１の生体に挿入され得る本体部２の寸法（長さ、外径等）は、特に限定されず、位置決め装置１の本体部２をシース５に挿入したとき、先端部２３（バルーン３）が、シース５の先端開口５３より先端側に突出するように、シース５の寸法等に応じて適宜決定される。通常は、位置決め装置１の生体に挿入され得る本体部２の長さは、８〜３０ｃｍ程度であるのが好ましく、１４〜２０ｃｍ程度であるのがより好ましい。
【００６９】
また、本体部２は、所望の可撓性を有するものであり、その構成材料としては、例えば、ポリオレフィン系樹脂、ポリアミド系樹脂、ウレタン系樹脂、ポリイミド系樹脂等の各種熱可塑性樹脂または熱硬化性樹脂を用いることができる。具体的には、例えば、ポリエチレン、ポリプロピレン、エチレン−プロピレン共重合体、エチレン−酢酸ビニル共重合体（ＥＶＡ）等のポリオレフィン、ポリ塩化ビニル、ポリエチレンテレフタレート（ＰＥＴ）、ポリブチレンテレフタレート（ＰＢＴ）等のポリエステル、ポリウレタン、ポリアミド、ポリイミド、ポリスチレン系樹脂、ポリテトラフルオロエチレン（ＰＴＦＥ）等のフッ素系樹脂、スチレン系、ポリオレフィン系、ポリ塩化ビニル系、ポリウレタン系、ポリエステル系、ポリアミド系、ポリブタジエン系、フッ素ゴム系等の各種熱可塑性エラストマーが挙げられる。
【００７０】
次に、位置決め装置１を用いてシース５の位置決めを行なう際の手順および位置決め装置１の作用について説明する。
【００７１】
図４に示すように、カテーテルを用いた治療（ＰＣＩ）や診断（ＣＡＧ）の処置後、シース５が留置されており、このシース５の位置決めを行う。シース５の先端部は、血管の切開部（血管壁を貫通する孔）を貫通し、血管内に挿入されている。
【００７２】
まず、図４に示すように、ガイドワイヤ６を、シース５の基端から、シース５内に挿入し、ガイドワイヤ６の先端部をシース５の先端開口５３より先端側に十分に突出させる。
【００７３】
次に、図５に示すように、位置決め装置１のルーメン２１にガイドワイヤを挿入しつつそのガイドワイヤ６に沿って、位置決め装置１の本体部２を、シース５の基端から、シース５内に挿入し、本体部２の先端部２３をシース５の先端開口５３より先端側に十分に突出させる。
【００７４】
次に、図６に示すように、図示しないシリンジをハブ４のポート４２に接続し、そのシリンジにより、作動流体をバルーン３に供給し、バルーン３を拡張させる。そして、シリンジをハブ４のポート４２から取り外す。
【００７５】
次に、図７に示すように、位置決め装置１を基端方向に移動させ、シース５の最先端にバルーン３の第１の当接部３３を当接させ、第２の当接部３４を血管壁の内面に当接させる。
【００７６】
次に、図８に示すように、シリンジをハブ４のポート４２に接続し、そのシリンジにより、作動流体をバルーン３から排出し、バルーン３を収縮させる。そして、シリンジをハブ４のポート４２から取り外す。
【００７７】
次に、図９に示すように、位置決め装置１およびガイドワイヤ６を基端方向に移動させ、シース５から抜去する。以上で、シース５の位置決めが終了し、図１０に示すように、シース５の先端部は、血管の切開部で、血管壁の内面付近の部位に配置される。
【００７８】
次に、図示しない生体内組織閉鎖装置を用い、図示しない閉鎖具で、血管の切開部を閉じる作業（止血作業）を行う。
【００７９】
閉鎖具は、シール部と、変形可能な変形部とを有しており、シール部は、血管壁の内側から切開部を覆い、変形部は、変形して血管壁の外側から切開部を覆い、これらシール部と変形部とで切開部（血管壁）が挟み込まれ、切開部が閉じる。
【００８０】
以上説明したように、この位置決め装置１によれば、バルーン３を拡張させ、シース５の最先端に第１の当接部３３を当接させ、第２の当接部３４を血管壁の内面に当接させるだけで、シース５を、目的位置、すなわち、血管の切開部で、血管壁の内面付近の部位に位置決めすることができ、このため、操作が容易であり、また、位置決めを、迅速かつ確実に行うことができる。
【００８１】
なお、本実施形態では、封止手段（拡張状態維持手段）として、弁体４４を用いたが、本発明では、これに限らず、例えば、二方活栓や三方活栓等を用いてもよい。
【００８２】
また、図１１に示すように、シース５の先端開口５３は、そのシース５の軸を法線とする面（平面）と、平行であってもよい。この場合は、シース５の位置決めの際は、シース５の先端全体に、拡張状態のバルーン３の第１の当接部３３が当接する。
【００８３】
＜第２実施形態＞
図１２は、本発明の位置決め装置の第２実施形態を示す斜視図、図１３は、図１２に示す位置決め装置の先端部の拡大図（斜視図）、図１４は、図１２に示す位置決め装置の糸止部を示す断面図、図１５〜図１９は、図１２に示す位置決め装置の作用を説明するための断面図である。
【００８４】
なお、以下では、図１２、図１３、図１５〜図１９において、左下側を「先端」、右上側（手元側）を「基端」、図１４において、下側を「先端」、上側（手元側）を「基端」として説明を行う。
【００８５】
以下、本発明の位置決め装置の第２実施形態について説明するが、前述した第１実施形態との相違点を中心に説明し、同様の事項はその説明を省略する。
【００８６】
各図に示す第２実施形態の位置決め装置１では、拡張部は、屈曲変形または湾曲変形（図示の構成では、屈曲変形）する屈曲変形部７１を有する複数（図示の構成では、２つ）の板状体７で構成されている。各板状体７は、本体部２の周方向に沿って、等間隔（等角度間隔）で並設されている。図示の構成では、１対の板状体７は、本体部２の軸を介して、対向するように配置されている。以下の説明では、代表的に、各屈曲変形部７１が屈曲変形する場合を説明する。
【００８７】
また、図１３に示すように、本体部２の先端部２３は、基部２３２と、基部２３２の先端側に配置されたヘッド部２３１とを有し、ヘッド部２３１と基部２３２とは、各板状体７により連結されている。そして、ヘッド部２３１が基端方向に移動することにより、各板状体７が、座屈し、各屈曲変形部７１が屈曲するよう構成されている。すなわち、各屈曲変形部７１が、外周方向（外側）に突出するように屈曲することで、拡張部が外周方向に拡張する。
【００８８】
図１６および図１７に示すように、拡張部が拡張した拡張状態では、各板状体７に、シース５の先端に当接し得る第１の当接部７２と、第１の当接部７２よりも基端側に位置し、患者の血管壁の内面（生体組織）に当接し得る第２の当接部７３とが形成される。なお、板状体７の基端部が、第１の当接部７２を構成し、また、屈曲変形部７１が、第２の当接部７３を構成する。
【００８９】
ここで、各板状体７の構成は同様であるので、以下では、一方の板状体７について説明する。
【００９０】
板状体７の屈曲変形部７１は、本体部２の軸に対して垂直な方向に沿って形成された薄肉部７１１を有しており、これにより、屈曲変形し得るようになっている。また、本実施形態においては、この屈曲変形部７１の屈曲変形は、弾性変形であり、屈曲変形部７１は、屈曲変形部７１（板状体７）自身の復元力（弾性力）により、元の形状に復元する。
【００９１】
また、屈曲変形部７１は、板状体７の、本体部２の軸方向の中間位置よりも基端側に配置されている。すなわち、板状体７の先端から薄肉部７１１（屈曲変形部７１）までの長さをＬ１、板状体７の基端から薄肉部７１１（屈曲変形部７１）までの長さをＬ２としたとき、Ｌ１は、Ｌ２よりも大きい。そして、Ｌ１とＬ２の比であるＬ１／Ｌ２は、１．１〜１０程度であるのが好ましく、１．５〜５程度であるのがより好ましい。
【００９２】
なお、板状体７は、本体部２と一体的に形成されていてよく、また、別部材を本体部２に固着（固定）したものであってもよい。
【００９３】
また、板状体７の構成材料としては、例えば、本体部２と同様のものを用いることができる。
【００９４】
また、図１２に示すように、本体部２の基端部に設置（固定）されたハブ４は、略円筒状をなしており、ルーメン２２の基端側は、このハブ４の内腔に連通している。また、ハブ４の内周側には、一方向弁（逆止弁）４３が設置されている。
【００９５】
また、位置決め装置１は、各板状体７の屈曲変形部７１よりも先端側の部位、すなわち、本体部２のヘッド部２３１を基端方向に移動させ、各屈曲変形部７１を屈曲させる操作（拡張部を拡張・収縮させる操作）を行う操作手段として、糸（線状体）８を有している。
【００９６】
糸８は、本体部２のルーメン２２を挿通しており、その先端部は、ヘッド部２３１の先端部に固定され、基端部は、ハブ４を経て、後述する糸止部９の基端から外部に引き出されている。また、糸の基端部には、把持部８１が固着（固定）されており、この把持部８１により、糸８の基端部が糸止部９の内部に入り込んでしまうのを防止することができる。
【００９７】
糸８を基端方向に引っ張ると、ヘッド部２３１が基端方向に牽引され、これにより、各板状体７の屈曲変形部７１が屈曲する（拡張部が拡張する）。また、糸８を基端方向に引っ張るのを止めると、各板状体７の屈曲変形部７１は、自己の復元力により、元の形状に復元する（拡張部が収縮する）。
【００９８】
また、ハブ４の基端部には、拡張部が拡張した拡張状態を維持する拡張状態維持手段として、糸止部９が設置（固定）されている。
【００９９】
この糸止部９は、図１４に示すように、ローラークレンメのような構造をなしており、糸を固定（移動不能に）したロック状態と、糸８を移動可能にしたロック解除状態とを採り得るように構成されている。
【０１００】
すなわち、糸止部９は、糸止部本体９１と、糸止部本体９１に対して移動可能に設置されたローラー（操作部）９２とで構成されており、ローラー９２は、図１４中時計回りに回転させると、先端方向（図１４中下側）に移動し、図１４中反時計回りに回転させると、基端方向（図１４中上側）に移動するようになっている。
【０１０１】
ローラー９２が先端方向に移動すると、ローラー９２の外周面と、糸止部本体９１の所定角度で傾斜した傾斜面９１１との間に、糸８が挟まれ、その糸８が固定される（ロック状態となる）。したがって、各板状体７の屈曲変形部７１が屈曲した状態、すなわち、拡張部が拡張した拡張状態で、糸止部９により糸８を固定すると、糸８（ヘッド部２３１）が先端方向へ戻るのが阻止され、これにより、各板状体７の屈曲変形部７１が屈曲した状態、すなわち、拡張部の拡張状態が維持される。
【０１０２】
また、前記糸が固定された状態から、ローラー９２が基端方向に移動すると、ローラー９２の外周面と傾斜面９１１との間に隙間が形成され、糸８は、移動可能になる（ロック状態が解除される）。これにより、各板状体７の屈曲変形部７１は、自己の復元力により、元の形状に復元する。すなわち、拡張部は、収縮する。
【０１０３】
なお、ガイドワイヤ６は、糸止部９を介さずに、直接、ハブ４の基端から本体部２のルーメン２１に挿入される。
【０１０４】
また、図１２に示すように、ハブ４の外周面には、本体部２の周方向における各板状体７の位置を示すマーカー１１がそれぞれ設けられている。
【０１０５】
一方、シース５のハブ５１の外周面には、本体部５０の周方向における本体部５０の最先端の位置を示す図示しないマーカーが設けられている。
【０１０６】
これにより、位置決め装置１のマーカー１１とシース５のマーカーとの周方向の位置を一致させると、図１７に示すように、位置決め装置１の板状体７とシース５の本体部５０の最先端との周方向の位置が一致し、これによって、板状体７の屈曲変形部７１が屈曲した状態の第１の当接部７２を、確実に、シース５の最先端に当接させることができる。
【０１０７】
次に、位置決め装置１を用いてシース５の位置決めを行なう際の手順および位置決め装置１の作用について説明する。
【０１０８】
まず、ガイドワイヤ６を、シース５の基端から、シース５内に挿入し、ガイドワイヤ６の先端部をシース５の先端開口５３より先端側に十分に突出させる（図４参照）。
【０１０９】
次に、図１５に示すように、位置決め装置１のルーメン２１にガイドワイヤを挿入しつつそのガイドワイヤ６に沿って、位置決め装置１の本体部２を、シース５の基端から、シース５内に挿入し、本体部２の先端部２３をシース５の先端開口５３より先端側に十分に突出させる。
【０１１０】
次に、図１６に示すように、糸８を基端方向に引っ張る。これにより、ヘッド部２３１が基端方向に牽引され、これによって、各板状体７の屈曲変形部７１が屈曲する。すなわち、拡張部が拡張する。
【０１１１】
次に、糸止部９のローラー９２を図１６中時計回りに回転させ、そのローラー９２を先端方向に移動させる。これにより、ローラー９２の外周面と糸止部本体９１の傾斜面９１１との間に糸８が挟まれ、その糸８が固定され、糸８が先端方向へ戻るのが阻止される。これにより、各板状体７の屈曲変形部７１が屈曲した状態、すなわち、拡張部の拡張状態が維持される。
【０１１２】
次に、図１７に示すように、位置決め装置１を基端方向に移動させ、シース５の最先端に第１の当接部７２を当接させ、第２の当接部７３を血管壁の内面に当接させる。
【０１１３】
次に、図１８に示すように、糸止部９のローラー９２を図１８中反時計回りに回転させ、そのローラー９２を基端方向に移動させる。これにより、ローラー９２の外周面と傾斜面９１１との間に隙間が形成され、糸８は、移動可能になる。これにより、各板状体７の屈曲変形部７１は、自己の復元力により、元の形状に復元する。すなわち、拡張部は、収縮する。
【０１１４】
次に、図１９に示すように、位置決め装置１およびガイドワイヤ６を基端方向に移動させ、シース５から抜去する。以上で、シース５の位置決めが終了し、シース５の先端部は、血管の切開部で、血管壁の内面付近の部位に配置される（図１０参照）。
【０１１５】
この位置決め装置１によれば、前述した第１実施形態と同様の効果が得られる。そして、糸８を基端方向に引っ張るだけで各板状体７の屈曲変形部７１が屈曲するので、さらに、操作が容易になる。
【０１１６】
なお、本実施形態では、板状体７の数は、２つであるが、本発明では、板状体７の数は、これに限らず、１つでもよく、また、３つ以上でもよい。
【０１１７】
また、本実施形態においては、屈曲変形部７１を弾性体とし、その弾性力をもって屈曲変形部７１（板状体７）が元の直線的な形状に戻るよう構成したが、本発明では、例えば、牽引に用いる糸８を、剛性の高い棒状体やチューブに変更すれば、その棒状体やチューブを押し込むことによって、屈曲変形部７１を元の形状に戻すことができるので、屈曲変形部７１は、必ずしも弾性体でなくてもよい。
【０１１８】
以上、本発明の位置決め装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１９】
また、本発明は、前記各実施形態のうちの、任意の２以上の構成（特徴）を組み合わせたものであってもよい。
【図面の簡単な説明】
【０１２０】
【図１】本発明の位置決め装置の第１実施形態を示す斜視図である。
【図２】図１に示す位置決め装置の断面図である。
【図３】図１に示す位置決め装置により位置決めするシースの構成例を示す斜視図である。
【図４】図１に示す位置決め装置の作用を説明するための断面図である。
【図５】図１に示す位置決め装置の作用を説明するための断面図である。
【図６】図１に示す位置決め装置の作用を説明するための断面図である。
【図７】図１に示す位置決め装置の作用を説明するための断面図である。
【図８】図１に示す位置決め装置の作用を説明するための断面図である。
【図９】図１に示す位置決め装置の作用を説明するための断面図である。
【図１０】図１に示す位置決め装置の作用を説明するための断面図である。
【図１１】図１に示す位置決め装置の作用を説明するための断面図である。
【図１２】本発明の位置決め装置の第２実施形態を示す斜視図である。
【図１３】図１２に示す位置決め装置の先端部の拡大図（斜視図）である。
【図１４】図１２に示す位置決め装置の糸止部を示す断面図である。
【図１５】図１２に示す位置決め装置の作用を説明するための断面図である。
【図１６】図１２に示す位置決め装置の作用を説明するための断面図である。
【図１７】図１２に示す位置決め装置の作用を説明するための断面図である。
【図１８】図１２に示す位置決め装置の作用を説明するための断面図である。
【図１９】図１２に示す位置決め装置の作用を説明するための断面図である。
【符号の説明】
【０１２１】
１              位置決め装置
２              本体部
２１、２２      ルーメン
２３            先端部
２３１          ヘッド部
２３２          基部
３              バルーン
３１            先端側固定部
３２            基端側固定部
３３            第１の当接部
３４            第２の当接部
４              ハブ
４１、４２      ポート
４３            一方向弁
４４            弁体
５              シース
５０            本体部
５１            ハブ
５２            止血弁
５３            先端開口
６              ガイドワイヤ
７              板状体
７１            屈曲変形部
７１１          薄肉部
７２            第１の当接部
７３            第２の当接部
８              糸
８１            把持部
９              糸止部
９１            糸止部本体
９１１          傾斜面
９２            ローラー
１１            マーカー
【図１】
2009291476.tif 000003
【図２】
2009291476.tif 000004
【図３】
2009291476.tif 000005
【図４】
2009291476.tif 000006
【図５】
2009291476.tif 000007
【図６】
2009291476.tif 000008
【図７】
2009291476.tif 000009
【図８】
2009291476.tif 000010
【図９】
2009291476.tif 000011
【図１０】
2009291476.tif 000012
【図１１】
2009291476.tif 000013
【図１２】
2009291476.tif 000014
【図１３】
2009291476.tif 000015
【図１４】
2009291476.tif 000016
【図１５】
2009291476.tif 000017
【図１６】
2009291476.tif 000018
【図１７】
2009291476.tif 000019
【図１８】
2009291476.tif 000020
【図１９】
2009291476.tif 000021